(57)【要約】【課題】本発明の目的は、携帯端末機器本来の外観上の美観を損なうことなく、芳香剤を容易に内部に設置でき、筐体内部に設置した芳香剤の香りを良好に発散させることのできる携帯端末機器を提供することである。【解決手段】バッテリーと、前記バッテリーを収容するバッテリー収容部が形成される筐体と、前記バッテリー収容部を覆うよう前記筐体の表面に取り付けられる着脱自在なバッテリーカバーとを備える携帯端末機器であって、前記筐体には、芳香剤を設置するための芳香剤設置用スペースが前記バッテリー収容部内に形成されており、前記バッテリーカバーは、芳香剤と前記バッテリーとを、前記筐体外に露出しないよう覆うことを特徴とする。【選択図】図６
2008072728.tif 000002
【特許請求の範囲】
【請求項１】
バッテリーと、前記バッテリーを収容するバッテリー収容部が形成される筐体と、前記バッテリー収容部を覆うよう前記筐体の表面に取り付けられる着脱自在なバッテリーカバーとを備える携帯端末機器であって、
前記筐体には、芳香剤を設置するための芳香剤設置用スペースが前記バッテリー収容部内に形成されており、
前記バッテリーカバーは、芳香剤と前記バッテリーとを、前記筐体外に露出しないよう覆う
ことを特徴とする携帯端末機器。
【請求項２】
前記筐体は、該筐体の内部に備わるスピーカー又はマイクロフォンの放音用又は受音用に開口した開口部と、前記開口部から前記芳香剤設置用スペースとの間に亘って前記芳香剤の香を流通させるための流通経路とが形成されており、
前記流通経路は、前記バッテリー収容部に開口される
ことを特徴とする請求項１に記載の携帯端末機器。
【発明の詳細な説明】
【技術分野】
【０００１】
本発明は、携帯電話機、ＰＤＡ（Ｐｅｒｓｏｎａｌ  Ｄｉｇｉｔａｌ  Ａｓｓｉｓｔａｎｔ）、ゲーム機等の携帯端末機器に関し、具体的には、芳香剤を取付け、香りを発散させることのできる携帯端末機器に関する。
【背景技術】
【０００２】
従来の携帯電話機、ＰＤＡ、ゲーム機等の携帯端末機器では、携帯端末機器本体と着脱可能に芳香剤を取付け、ユーザーが好みの香りを楽しめるようにしたものがあった。例えば、特許文献１には、携帯電話機本体に備わる外部接続端子、又は該外部接続端子の近傍位置に、取付け手段の介在により芳香剤を携帯電話機本体と着脱可能に備えるように構成した携帯端末機器が開示されている。
【特許文献１】特開２００２−５７７７５号公報
【発明の開示】
【発明が解決しようとする課題】
【０００３】
しかしながら、特許文献１に開示された携帯電話機では、芳香剤が外部に露出しているため、携帯電話機の携帯中に、例えば、芳香剤が人体や衣服に付着してしまう恐れがあり、また、芳香剤の色が筐体の色と異なったり、芳香剤の厚みによって芳香剤の部分だけ凸状に突出したりすることで、筐体の外観上の美観を損ねる恐れがあるという課題があった。
【０００４】
そこで、本発明の目的は、携帯端末機器本来の外観上の美観を損なうことなく、芳香剤を内部に容易に設置可能とし、なおかつ芳香剤の香を外部に向けて良好に発散させることのできる携帯端末機器を提供することである。
【課題を解決するための手段】
【０００５】
上記の課題を解決するため、本発明は第一に、バッテリーと、前記バッテリーを収容するバッテリー収容部が形成される筐体と、前記バッテリー収容部を覆うよう前記筐体の表面に取り付けられる着脱自在なバッテリーカバーとを備える携帯端末機器であって、前記筐体には、芳香剤を設置するための芳香剤設置用スペースが前記バッテリー収容部内に形成されており、前記バッテリーカバーは、芳香剤と前記バッテリーとを、前記筐体外に露出しないよう覆うことを特徴とする。この構成により、バッテリー収納部に芳香剤を設置することから、容易に芳香剤を設置できるばかりでなく、バッテリー収納部を保護するバッテリーカバーが、バッテリー収納部とともに芳香剤をも保護することになり、芳香剤を保護するためのカバーを別途設ける必要がなくなるため、携帯端末機器の外観上の美観を損なうことがないという効果を一層高めることができ、さらには、部品点数や製造工程の削減をすることができる。また、筐体内部に備わる部材や部品の中で特に熱を発する部品である、バッテリーに隣接して芳香剤を設置することになるため、芳香剤が温められ、芳香作用が促進される。
【０００６】
また、第二に、前記筐体はさらに、前記筐体は、該筐体の内部に備わるスピーカー又はマイクロフォンの放音用又は受音用に開口した開口部と、前記開口部から前記芳香剤設置用スペースとの間に亘って前記芳香剤の香を流通させるための流通経路とが形成されており、前記流通経路は、前記バッテリー収容部に開口されることを特徴とする。この構成により、携帯端末機器の筐体内部に配置した芳香剤の香を、携帯端末機器に本来備わっているスピーカー開口部及び／又はマイクロフォン開口部から外部に向けて発散させることができるため、香を発散させるための開口部を新たに筐体に設ける必要がなく、携帯端末機器の外観上の美観を損なうことなく香を楽しむことができる。
【発明の効果】
【０００７】
本発明によれば、携帯端末機器本来の外観上の美観を損なうことなく、芳香剤を内部に容易に設置することができ、なおかつ芳香剤の香を外部に向けて良好に発散させることができる携帯端末機器を提供することができる。
【発明を実施するための最良の形態】
【０００８】
以下、本発明の実施形態を、添付図面を参照して説明する。
【０００９】
（第一の実施の形態）
本発明の携帯端末機器の一つの実施の形態の例として、折畳み式の携帯電話機に適用したものを図１乃至図６に示す。
【００１０】
この携帯端末機器１００は、ヒンジ部１０２を介して上部筐体１０３と下部筐体１０４とを折畳み可能に連結したもので、図１は、上部筐体１０３と下部筐体１０４とを開いた状態において両筐体の内面を示す斜視図であり、図２乃至図５は、折畳んだ状態において下部筐体１０４の外面を示す斜視図である。また、図６は、図２中の矢印ａ−ａ間で携帯端末機器１００を切り取った下部筐体１０４の内部構造を示す断面図である。
【００１１】
なお、内面とは上部筐体１０３と下部筐体１０４とを開いた状態において露出し、折畳んだ状態においては露出しない面であり、外面とは上部筐体１０３と下部筐体１０４とを開いた状態及び折畳んだ状態のいずれの状態において外部に露出する面である。
【００１２】
まず、図１乃至図５に基づいて、携帯端末機器１００の外部構造について説明する。
【００１３】
携帯端末機器１００は、上部筐体１０３の内面に受話用スピーカー開口部１０８及び表示部１０９を有しており、下部筐体１０４の内面にマイクロフォン開口部１１０及びキー操作部１１１を有している。
【００１４】
受話用スピーカー開口部１０８は、上部筐体１０３の内部に備わる受話用スピーカー（後述する）から放音された音を外部に発散するために開口して設けられた出口であり、これにより、通話中にユーザーが通話相手の音声を聞くことができる。
【００１５】
表示部１０９は、携帯端末機器１００に備わる通話機能や電子メール通信機能等の諸機能に関する情報を表示するもので、例えば、通話中での通話相手先の電話番号及び通話時間の表示や、受信した電子メールの本文の表示等を行う。
【００１６】
マイクロフォン開口部１１０は、下部筐体１０４の内部に備わるマイクロフォン（後述する）が、通話中等にユーザーの音声を集音できるよう開口して設けられた入口であり、これにより、通話中等のユーザーの音声をマイクロフォンが良好に集音して通話相手に伝えることができる。
【００１７】
キー操作部１１１は、携帯端末機器１００に備わる通話機能や電子メール通信機能等の諸機能に関する操作をユーザーが行うもので、例えば、通話相手先への電話番号のダイアル操作や、電子メールの文章作成時の文字入力操作に用いられる。
【００１８】
また、携帯端末機器１００は、下部筐体１０４の外面にはバッテリーカバー１０５、再生用スピーカー開口部１０６、及びアンテナ１０７を有している。
【００１９】
バッテリーカバー１０５は、バッテリー収納部（後述する）を保護するもので、下部筐体１０４に対して開閉及び着脱可能に取付けてある。図１及び図２に示すように、バッテリーカバー１０５を閉じた状態では、下部筐体１０４と一体化するようになっている。
【００２０】
再生用スピーカー開口部１０６は、下部筐体１０４の内部に備わる再生用スピーカー（後述する）が放音する音を外部に発散するために開口して設けられた出口であり、これにより、再生用スピーカーによって発せられる着信音、音楽等を良好に外部に放音することができる。
【００２１】
アンテナ１０７は、基地局（図示せず）と送受信を行うものであり、これにより、通話や電子メールの送受信等を行うことができる。
【００２２】
図４は、バッテリーカバー１０５を下部筐体１０４から取り外した状態を示しており、下部筐体１０４に備わるバッテリー１１２、芳香剤設置用スペース１１３（点線）、及び開口部１０８が露出している。
【００２３】
バッテリー１１２は、携帯端末機器１００に電力を供給する電源であり、リチウムイオン電池等である。バッテリー１１２は通常バッテリーカバー１０５を閉じた状態で保護されており、外部に露出していないが、バッテリーカバー１０５を取外すことで外部に露出する。
【００２４】
バッテリー収納部１１３は、下部筐体１０４の内部に設けられた、バッテリー１１２を収納するためのスペースである。バッテリー収納部１１３は、通常バッテリーカバー１０５を閉じた状態で保護されており、外部に露出していないが、バッテリーカバー１０５を取外すことで外部に露出する。
【００２５】
芳香剤設置用スペース１１４は、芳香剤（後述する）を設置するためにバッテリー収納部１１３内に設けられたスペースであり、バッテリー１１２と同様に、通常バッテリーカバー１０５により保護されており外部に露出していないが、バッテリーカバー１０５を取外すことで外部に露出するようになっている。
【００２６】
芳香剤１１５は、携帯端末機器１００のユーザーが所望の香を楽しむために携帯端末機器１００に設置する、芳香作用を有する部材である。芳香剤１１５としては、携帯端末機器１００に設置することを考慮して、固形のものが好適であり、具体的には、多孔質材に香料やアロマオイル等の液状香料を浸透させたものや、香料を封入した芳香性のカプセル等である。なお、本実施例では、芳香剤設置用スペース１１４内を汚さないように、芳香剤１１５が箱状のアタッチメント１２１に装填されて一体化している。
【００２７】
開口部１１９は、再生用スピーカー開口部１０６に向けて、芳香剤設置用スペース１１４に近接した下部筐体１０４の面を開口して設けられた開口部である。
【００２８】
開口部１１９は再生用スピーカー開口部１０６に向けて開口しており、芳香剤設置用スペース１１４に設置した芳香剤１１５が発する香を再生用スピーカー開口部１１９に向けて取り込む。
【００２９】
次に、図１乃至図６に基づいて、携帯端末機器１００の内部構造とともに、芳
香剤１１５を設置して外部に香を発散させる構造について説明する。
【００３０】
再生用スピーカー１１６は、携帯端末機器１００に着信があった際の着信音や、ユーザーが任意に選択、再生した音楽データ等の音を放音する。
【００３１】
メッシュシート１１７は、通気性を有するメッシュをシート状に形成したものであり、再生用スピーカー１１６と再生用スピーカー開口部１０６との間に設けることで、外部からの浸水を防ぎ、防水効果を持たせることができる。
【００３２】
流通経路１２０は、開口部１１９から再生用スピーカー１１６までの間で形成される空間であり、厳密には、下部筐体１０４及び開口部１１９から形成されるダクト状の空間である。流通経路１２０は、芳香剤１１５が発する香を良好に外部に発散するための香の流通経路であり、流通経路１２０の幅、高さ、及び開口部１１９から再生用スピーカー開口部１０６までの距離は、携帯端末機器１００のサイズに応じて調整すれば良い。
【００３３】
なお、この他、携帯端末機器１００の内部には、携帯電話機として機能させるためのプリント基板やメモリー等が備わっているが、図示及び説明は省略する。
【００３４】
次に、芳香剤１１５の設置は、芳香剤１１５を装填したアタッチメント１２１を芳香剤設置用スペース１１４に設置することで行われる。
【００３５】
まず、図３に示すように、バッテリーカバー１０５を下部筐体１０４に対してスライドさせて取り外すと、図４に示すように、下部筐体１０４に備わるバッテリー１１２及び芳香剤設置用スペース１１４が露出する。ここで、図４中の矢印で示すように、芳香剤１１５を装填したアタッチメント１２１を芳香剤設置用スペース１１４に設置すると、図５に示すように、芳香剤１１５は芳香剤設置用スペース１１４に収容され、保持される。このように芳香剤１１５を芳香剤設置用スペース１１４に収容した状態で、再びバッテリーカバー１０５を下部筐体１０４に対してスライドさせ、図２に示すように、バッテリーカバー１０５と下部筐体１０４とを一体化させた状態に戻すと、芳香剤１１５の設置は完了となる。
【００３６】
次に、芳香剤１１５が発する香の外部への発散は、香が流通経路１２０を流通することで行われる。
【００３７】
まず、芳香剤設置用スペース１１４に収容された芳香剤１１５が発する香は、芳香剤設置用スペース１１４から開口部１１９へ流通し、そのまま流通経路１２０を通る。流通経路１２０はダクト状の空間であり、通気を邪魔したり遮断したりする障害物がないため、香は流通経路１２０内を良好に流通する。そして、流通経路１２０を通って再生用スピーカー１１６まで到達した香は、メッシュシート１１７を介して、再生用スピーカー開口部１０６から外部に発散される。
【００３８】
以上のように、芳香剤１１５が発する香は良好に外部に発散されることとなる。上記の構成により、携帯端末機器１００の筐体内部に配置した芳香剤１１５が発する香を、携帯端末１００に本来備わっている再生用スピーカー開口部１０６から外部に向けて良好に発散させることができるため、香を発散させるための開口部を新たに筐体に設ける必要がなく、携帯端末機器１００の外観上の美観を損なうことなく香を楽しむことができる。また、下部筐体１０４内で熱を発する部品である、バッテリー１１２の近傍に芳香剤１１５が設置されるため、芳香剤１１５が温められ、芳香作用が促進される。また、芳香剤設置用スペース１１４がバッテリー収納部１１３内にあり、芳香剤１１５がバッテリー１１２とともにバッテリーカバー１０５によって保護されているので、芳香剤１１５を保護するためのカバーを別途設ける必要がなく、携帯端末機器１００の外観上の美観を損なうことがないという効果を一層高めることができ、さらには、部品点数や製造工程の削減をすることができる。さらに、流通経路１２０内に再生用スピーカー１１６が含まれることで、着信音の鳴音時や音楽データの再生時等の再生用スピーカー１１６の駆動時には、再生用スピーカー１１６の振動動作によってさらに香の発散が促進されるという効果も得られる。
【００３９】
（第二の実施の形態）  
本発明の携帯端末機器の他の実施の形態の例として、第一の実施例の携帯端末機器１００において、芳香剤１１５が発する香をマイクロフォン開口部１１０から発散させるようにしたものを図７及び図８に示す。
【００４０】
この携帯端末機器は、第１の実施例で示した携帯端末機器１００の芳香剤設置用スペース１１４に収容した芳香剤１１５が発する香を、マイクロフォン開口部１１０から外部に発散させるようにしたものである。
【００４１】
本実施例では、図７に示すように、バッテリー収納部１１３内で、マイクロフォン開口部１１０が設置されている側の端部に芳香剤設置用スペース１１４を設ける。さらに、芳香剤設置用スペース１１４のすぐ近傍には、下部筐体１０４を開口して形成した開口部１１９を設ける。また、流通経路１２０は、開口部１１９からマイクロフォン開口部１１０までの間で形成される経路であり、厳密には、下部筐体１０４及び開口部１１９から形成されるダクト状の経路である。流通経路１２０は、芳香剤１１５が発する香を良好に外部に発散するための香の流通経路であり、第一の実施例で示したものと同様に、流通経路１２０の幅、高さ、及び開口部１１９からマイクロフォン開口部１１０までの距離は、携帯端末機器１００のサイズに応じて調整すれば良い。
【００４２】
芳香剤１１５の設置は、第一の実施例で示した方法と同様に、バッテリーカバー１０５を下部筐体１０４に対してスライドさせて取り外し、芳香剤１１５を装填したアタッチメント１２１を芳香剤設置用スペース１１４に設置することで行われる。
【００４３】
携帯端末機器１００の筐体内に設置された芳香剤１１５が発する香は、芳香剤設置用スペース１１４から開口部１１９へ流通し、そのまま流通経路１２０を通る。流通経路１２０はダクト状の空間であり、通気を邪魔したり遮断したりする障害物がないため、香は流通経路１２０内を良好に流通する。そして、流通経路１２０を通ってマイクロフォン開口部１１０まで到達した香は、メッシュシート１１７を介して、マイクロフォン開口部１１０から外部に発散される。
【００４４】
以上のように、芳香剤１１５が発する香は良好に外部に発散されることとなる。上記の構成により、携帯端末機器１００の筐体内部に配置した芳香剤１１５の香を、携帯端末１００に本来備わっているマイクロフォン開口部１１０から外部に向けて良好に発散させることができるため、香を発散させるための開口部を新たに筐体に設ける必要がなく、携帯端末機器１００の外観上の美観を損なうことなく香を楽しむことができる。また、下部筐体１０４内で熱を発する部品である、バッテリー１１３の近傍に芳香剤１１５が設置されるため、芳香剤が温められ、芳香作用が促進される。さらに、通話を行うためにユーザーが手で携帯端末機器１００を保持した際、マイクロフォン開口部１１０はユーザーの口及び鼻付近に位置するため、通話中に芳香剤１１５の香を楽しむことができる。
【００４５】
（第三の実施の形態）
本発明の携帯端末機器の他の実施の形態の例として、非折畳み式の携帯ゲーム機に適用したものを図９乃至図１２に示す。
【００４６】
この携帯端末機器２００は、一つの筐体２０３から成る携帯ゲーム機であり、図９は、正面から見た筐体の外面を示す斜視図であり、図１０及び図１１は、背面から見た筐体の外面を示す斜視図である。また、図１２は、図１０中の矢印ｂ−ｂ間で携帯端末機器２００を切り取った筐体２０３の内部構造を示す断面図であ
る。
【００４７】
この携帯端末機器２００は、一つの筐体２０３から成るゲーム機であり、筐体２０３の正面には２つの再生用スピーカー開口部２０６、表示部２０９、及びキー操作部２１１を有している。また、筐体２０３の背面にはバッテリーカバー２０５を有している。
【００４８】
再生用スピーカー開口部２０６、表示部２０９、キー操作部２１１、及びバッテリーカバー２０５の構成は、第一の実施例で説明したものと同様であるが、本実施例の再生用スピーカー開口部２０６は左右２箇所に設けられている。また、本実施例の表示部２０９はゲームの画像や映像を表示する。さらに、キー操作部２１１もまた、ゲームのプレー操作に適した構成になっており、１つの十字キーと２つの丸型キーから成る。
【００４９】
図１１は、バッテリーカバー２０５を筐体２０３から取り外した状態を示しており、筐体２０３に備わるバッテリー２１２、バッテリー収納部２１３、芳香剤設置用スペース２１４、及び開口部２１９が露出している。
【００５０】
バッテリー２１２、芳香剤設置用スペース２１４、開口部２１９、及び芳香剤２１５の構成は、第一の実施例で説明したものと同様であるが、本実施例のバッテリー２１２は乾電池を使用している。また、本実施例の芳香剤設置用スペース２１４は、バッテリー収納部２１３に仕切りを設けることで確保した箱状の空間である。また、本実施例においては、再生用スピーカー開口部２０６が２箇所あり、それぞれの再生用スピーカー開口部２０６に香を流通させるために開口部２１９も２箇所ある。
【００５１】
次に、図９乃至図１２に基づいて携帯端末機器２００の内部構造とともに、芳香剤２１４を設置して外部に香を発散させる構造について説明する。
【００５２】
筐体２０３の内部に備わる再生用スピーカー２１６、メッシュシート２１７、及び流通経路２２０の構成は、第一の実施例で説明したものと同様であるが、本実施例においては、ゲームの臨場感を高めるため、再生用スピーカー２１６が左右の２箇所に備わっており、それぞれがゲーム中の音楽や効果音等を放音する。
【００５３】
また、本実施例においては、流通経路２２０が左右の２箇所にあり、それぞれ、開口部２１９から再生用スピーカー２１６までの間で形成されるダクト状の空間である。
【００５４】
なお、この他、携帯端末機器２００の内部には、ゲーム機として機能させるためのプリント基板やメモリー等が備わっているが、図示及び説明は省略する。
【００５５】
芳香剤２１５の設置と芳香剤２１５が発する香を外部へ発散させる構成についても、第一の実施例で説明した通りである。すなわち、バッテリーカバー２０５を筐体２０３から取り外し、図１１の矢印で示すように、露出した芳香剤設置用スペース２１４に芳香剤２１５を装填し、図１０に示すように、再びバッテリーカバー２０５を閉じて筐体２０３と一体化させた状態に戻すことで、芳香剤２１５は携帯端末機器２００に設置される。
【００５６】
芳香剤設置用スペース２１４に収容された芳香剤２１５が発する香は、芳香剤設置用スペース２１４から、左右に設けられた２つの開口部２１９へ流通し、流通経路２２０を通る。そして、流通経路２２０を通って再生用スピーカー２１６まで到達した香は、メッシュシート２１７を介して、再生用スピーカー開口部２０６から外部に発散される。
【００５７】
以上のように、芳香剤２１５が発する香は外部に発散されることとなる。
【００５８】
上記の構成により、携帯端末機器２００の筐体内部に配置した芳香剤２１５が発する香を、携帯端末機器２００に本来備わっている再生用スピーカー開口部２０６から外部に向けて良好に発散させることができるため、香を発散させるための開口部を新たに筐体に設ける必要がなく、携帯端末機器２００の外観上の美観を損なうことなく香を楽しむことができる。また、筐体２０３内で熱を発する部品である、バッテリー２１２の近傍に芳香剤２１５が設置されるため、芳香剤２１５は温められ、芳香作用が促進される。さらに、ユーザーが手で携帯端末機器２００を保持してゲームをプレーしている時、再生用スピーカー開口部２０６はユーザーの顔面の方向に向くため、ゲームのプレー中に芳香剤２１５の香を楽しむことができる。
【００５９】
以上、本発明について第一の実施例、第二の実施例、及び第三の実施例によって説明したが、本発明の各部構成は上記実施の形態に限らず、特許請求の範囲に記載の技術的範囲に基づいて、種々の変形が可能である。例えば、携帯端末機器は折畳み式の携帯電話機やゲーム機に限らず、非折畳み式の携帯電話機やＰＤＡ等であっても良い。また、芳香剤は、実施の形態の説明の中では直方体のものを図示したが、円筒状のものや他の多角形に形成したものであっても良い。
【図面の簡単な説明】
【００６０】
【図１】本発明の第一の実施形態である携帯端末機器の開状態を示す斜視図である。
【図２】本発明の第一の実施形態である携帯端末機器の閉状態を示す斜視図である。
【図３】本発明の第一の実施形態である携帯端末機器の閉状態であって、バッテリーカバーを下部筐体に対して開閉させる動作を示す斜視図である。
【図４】本発明の第一の実施形態である携帯端末機器の閉状態であって、バッテリーカバーを下部筐体から取外した状態を示す斜視図である。
【図５】本発明の第一の実施形態である携帯端末機器の閉状態であって、携帯端末機器に芳香剤を設置した状態を示す斜視図である。
【図６】本発明の第一の実施の形態である携帯端末機器の下部筐体を示す断面図である。
【図７】本発明の第二の実施の形態である携帯端末機器の閉状態であって、携帯端末機器に芳香剤を設置した状態を示す斜視図である。
【図８】本発明の第二の実施の形態である携帯端末機器の下部筐体を示す断面図である。
【図９】本発明の第三の実施の形態である携帯端末機器を正面側から見た斜視図である。
【図１０】本発明の第三の実施の形態である携帯端末機器を背面側から見た斜視図である。
【図１１】本発明の第三の実施の形態である携帯端末機器に芳香剤を設置した状態を示す斜視図である。
【図１２】本発明の第三の実施の形態である携帯端末機器の断面図である。
【符号の説明】
【００６１】
１００，２００      携帯端末機器
１０２              ヒンジ部
１０３，２０３      上部筐体（筐体）
１０４              下部筐体
１０５，２０５      バッテリーカバー
１０６，２０６      再生用スピーカー開口部
１０７              アンテナ
１０８              受話用スピーカー開口部
１０９，２０９      表示部
１１０              マイクロフォン開口部
１１１，２１１      キー操作部
１１２，２１２      バッテリー
１１３，２１３      バッテリー収納部
１１４，２１４      芳香剤設置用スペース
１１５，２１５      芳香剤
１１６，２１６      再生用スピーカー
１１７，２１７      メッシュシート
１１８              マイクロフォン
１１９，２１９      開口部
１２０，２２０      流通経路
１２１              アタッチメント
【図１】
2008072728.tif 000003
【図２】
2008072728.tif 000004
【図３】
2008072728.tif 000005
【図４】
2008072728.tif 000006
【図５】
2008072728.tif 000007
【図６】
2008072728.tif 000008
【図７】
2008072728.tif 000009
【図８】
2008072728.tif 000010
【図９】
2008072728.tif 000011
【図１０】
2008072728.tif 000012
【図１１】
2008072728.tif 000013
【図１２】
2008072728.tif 000014